(57)【要約】利用者が評価する評価対象スポットの位置情報が格納された状況推定データベース（１１１）を有する端末（１０１）にて、利用者が存在する評価対象スポットが状況推定データベース（１１１）に基づいて推定され、推定された評価対象スポットに応じた選択形式の質問が質問データベース（１０３）から抽出され、抽出された質問が表示され、表示された質問に対して利用者が入力した回答と評価対象スポットとが対応付けられた評価データが作成され、評価データベース（１０２）に格納される。
2007145009.tif 000002
【特許請求の範囲】
【請求項１】
利用者が所持する位置情報を認識可能なセンサを有する端末と、該利用者への質問が格納された質問データベースとを有してなる評価データ収集システムにおいて、
前記端末は、前記利用者が評価する評価対象スポットの位置情報が格納された状況推定データベースを有し、前記利用者が存在する評価対象スポットを前記状況推定データベースに基づいて推定し、前記質問データベースから前記推定された評価対象スポットに応じた選択形式の質問を抽出し、前記抽出された質問を表示し、前記表示された質問に対して前記利用者が入力した回答と前記評価対象スポットとを対応付けて評価データとして格納することを特徴とする評価データ収集システム。
【請求項２】
請求項１に記載の評価データ収集システムにおいて、
評価データベースを有し、
前記端末は、前記表示された質問に対して前記利用者が入力した回答と前記評価対象スポットとを対応付けて評価データとして前記評価データベースに格納することを特徴とする評価データ収集システム。
【請求項３】
請求項２に記載の評価データ収集システムにおいて、
前記評価データベースは、ネットワークを介して前記端末と接続された装置内に設けられることを特徴とする評価データ収集システム。
【請求項４】
請求項１乃至３のいずれか１項に記載の評価データ収集システムにおいて、
前記端末は、該端末の位置情報に基づいて、前記利用者が存在する評価対象スポットを推定することを特徴とする評価データ収集システム。
【請求項５】
請求項４に記載の評価データ収集システムにおいて、
前記端末は、ＧＰＳにより測定された位置情報に基づいて、前記利用者が存在する評価対象スポットを推定することを特徴とする評価データ収集システム。
【請求項６】
請求項４に記載の評価データ収集システムにおいて、
前記端末は、該端末が通信を行う前記利用者が存在する場所に設置された通信手段によって算出された位置情報に基づいて、前記利用者が存在する評価対象スポットを推定することを特徴とする評価データ収集システム。
【請求項７】
請求項１乃至３のいずれか１項に記載の評価データ収集システムにおいて、
前記端末は、ＲＦタグを有し、該ＲＦタグに書き込まれた情報に基づいて、前記利用者が存在する評価対象スポットを推定することを特徴とする評価データ収集システム。
【請求項８】
請求項１乃至７のいずれか１項に記載の評価データ収集システムにおいて、
前記端末は、前記利用者が予め設定された時間、同じ評価対象スポットに存在したと推定した後、前記質問を表示することを特徴とする評価データ収集システム。
【請求項９】
請求項７に記載の評価データ収集システムにおいて、
前記端末は、前記ＲＦタグを用いてサービスの決済を行った際に、前記質問を表示することを特徴とする評価データ収集システム。
【請求項１０】
請求項１乃至９のいずれか１項に記載の評価データ収集システムにおいて、
前記端末は、前記利用者が音声によって回答を入力した場合、当該音声が入力される音声入力部を有することを特徴とする評価データ収集システム。
【請求項１１】
請求項１乃至１０のいずれか１項に記載の評価データ収集システムにおいて、
前記端末は、写真を撮影するための撮影部を有し、該撮影部によって撮影された写真と前記回答と前記評価対象スポットとを対応付けて格納することを特徴とする評価データ収集システム。
【請求項１２】
請求項１乃至１１のいずれか１項に記載の評価データ収集システムにおいて、
前記端末は、前記質問データベースを有することを特徴とする評価データ収集システム。
【請求項１３】
利用者への質問が格納された質問データベースに接続可能に構成された端末であって、
前記利用者が評価する評価対象スポットの位置情報が格納された状況推定データベースを有し、前記利用者が存在する評価対象スポットを前記状況推定データベースに基づいて推定し、前記質問データベースから前記推定された評価対象スポットに応じた選択形式の質問を抽出し、前記抽出された質問を表示し、前記表示された質問に対して前記利用者が入力した回答と前記評価対象スポットとを対応付けて評価データとして格納する端末。
【請求項１４】
請求項１３に記載の端末において、
該端末の位置情報に基づいて、前記利用者が存在する評価対象スポットを推定することを特徴とする端末。
【請求項１５】
請求項１４に記載の端末において、
ＧＰＳにより測定された位置情報に基づいて、前記利用者が存在する評価対象スポットを推定することを特徴とする端末。
【請求項１６】
請求項１４に記載の端末において、
該端末が通信を行う前記利用者が存在する場所に設置された通信手段によって算出された位置情報に基づいて、前記利用者が存在する評価対象スポットを推定することを特徴とする端末。
【請求項１７】
請求項１３に記載の端末において、
ＲＦタグを有し、該ＲＦタグに書き込まれた情報に基づいて、前記利用者が存在する評価対象スポットを推定することを特徴とする端末。
【請求項１８】
請求項１３乃至１７のいずれか１項に記載の端末において、
前記利用者が予め設定された時間、同じ評価対象スポットに存在したと推定した後、前記質問を表示することを特徴とする端末。
【請求項１９】
請求項１７に記載の端末において、
前記ＲＦタグを用いてサービスの決済を行った際に、前記質問を表示することを特徴とする端末。
【請求項２０】
請求項１３乃至１９のいずれか１項に記載の端末において、
前記利用者が音声によって回答を入力した場合、当該音声が入力される音声入力部を有することを特徴とする端末。
【請求項２１】
請求項１３乃至２０のいずれか１項に記載の端末において、
写真を撮影するための撮影部を有し、該撮影部によって撮影された写真と前記回答と前記評価対象スポットとを対応付けて格納することを特徴とする端末。
【請求項２２】
請求項１３乃至２１のいずれか１項に記載の端末において、
前記質問データベースを有することを特徴とする端末。
【請求項２３】
利用者が所持する端末と、該利用者への質問が格納された質問データベースとを有してなる評価データ収集システムにおける評価データ収集方法であって、
前記端末が、前記利用者が存在する評価対象スポットを推定する処理と、
前記端末が、前記質問データベースから前記推定された評価対象スポットに応じた選択形式の質問を抽出する処理と、
前記端末が、前記抽出された質問を表示する処理と、
前記表示された質問に対して前記利用者が入力した回答と前記評価対象スポットとを対応付けて評価データとして格納する処理とを有する評価データ収集方法。
【請求項２４】
請求項２３に記載の評価データ収集方法において、
前記端末が、該端末の位置情報に基づいて、前記利用者が存在する評価対象スポットを推定する処理を有することを特徴とする評価データ収集方法。
【発明の詳細な説明】
【技術分野】
【０００１】
本発明は、店舗等の評価に関する評価データを収集する評価データ収集システム、端末及び評価データ収集方法に関する。
【背景技術】
【０００２】
従来より、店舗や観光地等の評価対象スポットにおける商品や雰囲気等を評価する際に、当該評価対象スポットにて利用者を対象にアンケートが実施されている。また、アンケートをインターネットを用いて実施する方法も考えられている（例えば、特許公開２００３−０５８６７２号公報参照。）。この方法では、利用者である顧客からネットワークを通じて入力された店舗評価情報を提供する店舗の評価情報提供システムに、店舗営業情報登録端末装置と、店舗評価情報入力端末装置と、店舗情報出力端末装置とが設けられている。店舗営業情報登録端末装置は、ネットワークに接続可能であり、店舗に関する営業情報をネットワークのサーバに登録可能な端末装置である。店舗評価情報入力端末装置は、店舗に関する評価情報をサーバに入力可能な端末装置である。店舗情報出力端末装置は、店舗に関する営業情報とランク情報サーバから出力可能な端末装置である。ネットワークのサーバは入力された店舗に関する評価情報を処理してランク付けを行い、店舗営業情報登録端末装置には店舗のランク付けされた評価情報をランク情報として出力する機能を有する。また、店舗情報出力端末装置には全店舗のランク付けされた評価情報を前記ランク情報が一定基準以上のものについてのみランク情報として出力する機能を有することを特徴としている。【０００３】
また、利用者が所持する端末の位置情報に基づいたアンケートを送信し、利用者が当該端末上にて入力したアンケートの回答を収集する方法が考えられている（例えば、特許公開２００３−０４４９９０号公報参照。）。【０００４】
また、ネットワークを用いてアンケート収集をする際に、利用者に通信費負担をかけない方法が考えられている（例えば、特許公開２００４−１７１４８６号公報参照。）。【０００５】
また、利用者が利用しようとする店舗等の付加情報が、利用者が所持する端末へネットワークを介して送信される方法が考えられている（例えば、特許公開２００６−１０７３５７号公報参照。）。【０００６】
さらに、ロボットが行った作業に関して、作業後に当該ロボットが利用者からアンケートを収集する方法が考えられている（例えば、特許公開２００３−３４０７５７号公報参照。）。【０００７】
しかしながら、特許公開２００３−０５８６７２号公報に記載された方法においては、利用者が評価情報を入力するためには、当該利用者が所持する端末を評価対象のアンケートを実施するためのサイトへ接続しなければならないという問題点がある。【０００８】
また、特許公開２００３−０４４９９０号公報に記載された方法においては、アンケートを入手及び回答するためには、専用の端末を準備しなければならないという問題点がある。【０００９】
また、特許公開２００４−１７１４８６号公報に記載された方法においては、実施されるアンケートの内容は、利用者が居る場所に応じて変化するものではない。【００１０】
また、特許公開２００６−１０７３５７号公報に記載された方法においては、利用者が所持する端末からの要求に対して、詳細な付加情報が送信されるにすぎない。【００１１】
さらに、特許公開２００３−３４０７５７号公報に記載された方法においては、作業者と作業者へ指示を行う情報提示装置との間にてやり取りされる情報が一方向のものであり、双方向で情報が送受信されるものではなく、また当該情報は記録されるものでもない。
【発明の開示】
【００１２】
本発明は、上述した課題を解決するため、評価対象スポットを評価するためのアンケートを容易に実施することができる評価データ収集システム、端末及び評価データ収集方法を提供することを目的とする。
【００１３】
上記目的を達成するために本発明は、
利用者が所持する位置情報を認識可能なセンサを有する端末と、該利用者への質問が格納された質問データベースとを有してなる評価データ収集システムにおいて、
前記端末は、前記利用者が評価する評価対象スポットの位置情報が格納された状況推定データベースを有し、前記利用者が存在する評価対象スポットを前記状況推定データベースに基づいて推定し、前記質問データベースから前記推定された評価対象スポットに応じた選択形式の質問を抽出し、前記抽出された質問を表示し、前記表示された質問に対して前記利用者が入力した回答と前記評価対象スポットとを対応付けて評価データとして格納することを特徴とする。
【００１４】
また、評価データベースを有し、
前記端末は、前記表示された質問に対して前記利用者が入力した回答と前記評価対象スポットとを対応付けて評価データとして前記評価データベースに格納することを特徴とする。
【００１５】
また、前記評価データベースは、ネットワークを介して前記端末と接続された装置内に設けられることを特徴とする。
【００１６】
また、前記端末は、該端末の位置情報に基づいて、前記利用者が存在する評価対象スポットを推定することを特徴とする。
【００１７】
また、前記端末は、ＧＰＳにより測定された位置情報に基づいて、前記利用者が存在する評価対象スポットを推定することを特徴とする。
【００１８】
また、前記端末は、該端末が通信を行う前記利用者が存在する場所に設置された通信手段によって算出された位置情報に基づいて、前記利用者が存在する評価対象スポットを推定することを特徴とする。
【００１９】
また、前記端末は、ＲＦタグを有し、該ＲＦタグに書き込まれた情報に基づいて、前記利用者が存在する評価対象スポットを推定することを特徴とする。
【００２０】
また、前記端末は、前記利用者が予め設定された時間、同じ評価対象スポットに存在したと推定した後、前記質問を表示することを特徴とする。
【００２１】
また、前記端末は、前記ＲＦタグを用いてサービスの決済を行った際に、前記質問を表示することを特徴とする。
【００２２】
また、前記端末は、前記利用者が音声によって回答を入力した場合、当該音声が入力される音声入力部を有することを特徴とする。
【００２３】
また、前記端末は、写真を撮影するための撮影部を有し、該撮影部によって撮影された写真と前記回答と前記評価対象スポットとを対応付けて格納することを特徴とする。
【００２４】
また、前記端末は、前記質問データベースを有することを特徴とする。
【００２５】
また、利用者への質問が格納された質問データベースに接続可能に構成された端末であって、
前記利用者が評価する評価対象スポットの位置情報が格納された状況推定データベースを有し、前記利用者が存在する評価対象スポットを前記状況推定データベースに基づいて推定し、前記質問データベースから前記推定された評価対象スポットに応じた選択形式の質問を抽出し、前記抽出された質問を表示し、前記表示された質問に対して前記利用者が入力した回答と前記評価対象スポットとを対応付けて評価データとして格納する。
【００２６】
また、該端末の位置情報に基づいて、前記利用者が存在する評価対象スポットを推定することを特徴とする。
【００２７】
また、ＧＰＳにより測定された位置情報に基づいて、前記利用者が存在する評価対象スポットを推定することを特徴とする。
【００２８】
また、該端末が通信を行う前記利用者が存在する場所に設置された通信手段によって算出された位置情報に基づいて、前記利用者が存在する評価対象スポットを推定することを特徴とする。
【００２９】
また、ＲＦタグを有し、該ＲＦタグに書き込まれた情報に基づいて、前記利用者が存在する評価対象スポットを推定することを特徴とする。
【００３０】
また、前記利用者が予め設定された時間、同じ評価対象スポットに存在したと推定した後、前記質問を表示することを特徴とする。
【００３１】
また、前記ＲＦタグを用いてサービスの決済を行った際に、前記質問を表示することを特徴とする。
【００３２】
また、前記利用者が音声によって回答を入力した場合、当該音声が入力される音声入力部を有することを特徴とする。
【００３３】
また、写真を撮影するための撮影部を有し、該撮影部によって撮影された写真と前記回答と前記評価対象スポットとを対応付けて格納することを特徴とする。
【００３４】
また、前記質問データベースを有することを特徴とする。
【００３５】
また、利用者が所持する端末と、該利用者への質問が格納された質問データベースとを有してなる評価データ収集システムにおける評価データ収集方法であって、
前記端末が、前記利用者が存在する評価対象スポットを推定する処理と、
前記端末が、前記質問データベースから前記推定された評価対象スポットに応じた選択形式の質問を抽出する処理と、
前記端末が、前記抽出された質問を表示する処理と、
前記表示された質問に対して前記利用者が入力した回答と前記評価対象スポットとを対応付けて評価データとして格納する処理とを有する。
【００３６】
また、前記端末が、該端末の位置情報に基づいて、前記利用者が存在する評価対象スポットを推定する処理を有することを特徴とする。
【００３７】
上記のように構成された本発明においては、利用者が評価する評価対象スポットの位置情報が格納された状況推定データベースを有する端末にて、利用者が存在する評価対象スポットが状況推定データベースに基づいて推定され、推定された評価対象スポットに応じた選択形式の質問が質問データベースから抽出され、抽出された質問が表示され、表示された質問に対して利用者が入力した回答と評価対象スポットとが対応付けられて評価データとして格納される。
【００３８】
これにより、評価対象スポットに関する評価を選択式に入力するだけで評価データとして記録することができる。
【００３９】
以上説明したように本発明においては、利用者が評価する評価対象スポットの位置情報が格納された状況推定データベースを有する端末にて、利用者が存在する評価対象スポットを状況推定データベースに基づいて推定し、推定された評価対象スポットに応じた選択形式の質問を質問データベースから抽出し、抽出された質問を表示し、表示された質問に対して利用者が入力した回答と評価対象スポットとを対応付けて評価データとして格納する構成としたため、評価対象スポットを評価するためのアンケートを容易に実施することができる。
【図面の簡単な説明】
【００４０】
【図１】本発明の評価データ収集システムの第１の実施の形態を示す図である。
【図２】図１に示した評価データ収集システムにおける評価データ収集方法を説明するためのフローチャートである。
【図３】図１に示した状況推定データベースに予め格納された評価対象スポットリストの一例を示す図である。
【図４】図１に示した質問データベースに予め格納された質問リストの一例を示す図である。
【図５】本発明の評価データ収集システムの第２の実施の形態を示す図である。
【発明を実施するための最良の形態】
【００４１】
以下に、本発明の実施の形態について図面を参照して説明する。
（第１の実施の形態）
図１は、本発明の評価データ収集システムの第１の実施の形態を示す図である。【００４２】
本形態は図１に示すように、端末１０１と、評価データベース１０２と、質問データベース１０３とから構成されている。端末１０１は、本システムを利用する利用者が所持する端末であり、評価データを作成する。評価データベース１０２は、端末１０１にて作成された評価データを格納するデータベースであり、ネットワークを介して端末１０１に接続されたサーバ等の装置に設けられているものであっても良い。質問データベース１０３は、端末１０１を所持する利用者への質問が格納されているデータベースである。【００４３】
また、端末１０１は、評価データ作成部１０５と、入力部１０６と、センサ部１０７と、状況推定部１０８と、質問抽出部１０９と、表示部１１０と、状況推定データベース１１１とから構成されている。評価データ作成部１０５は、評価データベース１０２に格納される評価データを作成する。入力部１０６は、端末１０１を所持する利用者によって情報が入力される。センサ部１０７は、端末１０１を所持する利用者の居場所を認識するためのセンサを有する。状況推定部１０８は、センサ部１０７にて認識された居場所に基づいて端末１０１を所持する利用者が評価対象の場所である評価対象スポットにいるかどうかを推定する。質問抽出部１０９は、状況推定部１０８にて推定された端末１０１を所持する利用者がいる評価対象スポットに基づいて質問データベース１０３から質問を抽出する。表示部１１０は、質問抽出部１０９にて抽出された質問を表示する。状況推定データベース１１１は、評価対象スポットの位置情報を格納する。なお、質問データベース１０３は、端末１０１に含まれていても良い。また、入力部１０６は、音声による入力が可能な音声入力手段であっても良い。また、図１に示した端末１０１の構成は、本発明に関する構成要素のみを示す。ここで、評価対象スポットとは、レストランや店舗、観光スポット、アミューズメントパーク等である。【００４４】
さらに、センサ部１０７は、位置認識部１１２と、ＲＦタグ１１４とから構成されている。位置認識部１１２は、端末１０１が存在する位置を認識する。ＲＦタグ１１４は、情報が書き込まれるタグである。ここで、位置認識部１１２は、具体的にはＧＰＳによる位置計測により取得する。または、端末１０１に通信手段が設けられている場合は、端末１０１が通信している基地局の情報からも位置情報を計測することができる。通信の形式としては、ＢｌｕｅｔｏｏｔｈやＩＥＥＥ８０２．１１ｂ、ＣＤＭＡ、ＰＨＳなどさまざまな形態で構成可能である。【００４５】
以下に、図１に示した評価データ収集システムにおける評価データ収集方法について説明する。【００４６】
図２は、図１に示した評価データ収集システムにおける評価データ収集方法を説明するためのフローチャートである。【００４７】
まず、センサ１０７の位置認識部１１２またはＲＦタグ１１４によって端末１０１を所持する利用者の居場所である位置情報がステップ１にて認識される。この認識方法については、従来の方法と同様である。【００４８】
そして、センサ１０７にて認識された端末１０１を所持する利用者の位置情報をセンサ情報として、当該センサ情報に基づいて、状況推定部１０８にて状況推定データベース１１１が参照され、端末１０１を所持する利用者が評価対象スポットにいるかどうかがステップ２にて判断される。このとき、位置認識部１１２にて認識された位置情報について、予め設定された時間以上、その場所に止まった場合のみ、ステップ２の処理が行われることが望ましい。ＲＦタグ１１４を用いた場合は、ＲＦタグ１１４を用いて行った行動がセンサ情報となる。例えば、ＲＦタグ１１４を用いて雑貨店Ｃにて物を購入した場合、ＲＦタグ１１４に書き込まれた当該購入情報がセンサ情報となる。【００４９】
図３は、図１に示した状況推定データベース１１１に予め格納された評価対象スポットリストの一例を示す図である。【００５０】
図１に示した状況推定データベース１１１に予め格納された評価対象スポットリストは図３に示すように、センサ情報と評価対象スポットとがそれぞれ対応付けられている。例えば、センサ部１０７の位置認識部１１２にて端末１０１を所持する利用者の居場所が○○区○○−○○と認識された場合、○○区○○−○○であるセンサ情報とレストランＡである評価対象スポットとが対応付けられているため、端末１０１を所持する利用者がレストランＡにいると推定される。また、センサ部１０７の位置認識部１１２にて端末１０１を所持する利用者の居場所が××市××−××と認識された場合、××市××−××であるセンサ情報とラーメン店Ｂである評価対象スポットとが対応付けられているため、端末１０１を所持する利用者がラーメン店Ｂにいると推定される。また、センサ部１０７のＲＦタグ１１４にＲＦタグ１１４を利用して雑貨店Ｃにて精算された情報が書き込まれている場合、雑貨店Ｃにて精算というセンサ情報と雑貨店Ｃである評価対象スポットとが対応付けられているため、端末１０１を所持する利用者が雑貨店Ｃにいると推定される。また、センサ部１０７の位置認識部１１２にて端末１０１を所持する利用者の居場所が△△市△△△と認識された場合、△△市△△△であるセンサ情報とアミューズメントパークＤである評価対象スポットとが対応付けられているため、端末１０１を所持する利用者がアミューズメントパークＤにいると推定される。【００５１】
そして、推定された評価対象スポットに基づいてステップ３にて質問抽出部１０９によって質問データベース１０３から質問が抽出される。【００５２】
図４は、図１に示した質問データベース１０３に予め格納された質問リストの一例を示す図である。なお、図１に示した質問データベース１０３に予め格納された質問リストは選択形式である。【００５３】
図１に示した質問データベース１０３に格納された質問リストは図４に示すように、評価対象スポットと質問である回答選択肢とがそれぞれ対応付けられている。例えば、状況推定部１０８にて推定された評価対象スポットがレストランＡである場合の質問は、レストランＡである評価対象スポットに対応付けられた「おいしい？」、「まずい？」及び「おしゃれ？」の選択形式の質問が抽出される。また、状況推定部１０８にて推定された評価対象スポットがラーメン店Ｂである場合の質問は、ラーメン店Ｂである評価対象スポットに対応付けられた「おいしい？」、「まずい？」、「高い？」及び「安い？」の選択形式の質問が抽出される。また、状況推定部１０８にて推定された評価対象スポットが雑貨店Ｃである場合の質問は、雑貨店Ｃである評価対象スポットに対応付けられた「おしゃれ？」、「高い？」及び「安い？」の選択形式の質問が抽出される。また、状況推定部１０８にて推定された評価対象スポットがアミューズメントパークＤである場合の質問は、アミューズメントパークＤである評価対象スポットに対応付けられた「楽しい？」、「退屈？」、及び「もう一度来たい？」の選択形式の質問が抽出される。【００５４】
ここで、選択形式とは、抽出された複数の質問のうち、１つあるいは複数を選択して回答する形式であると定義する。【００５５】
質問抽出部１０９によって質問データベース１０３から質問が抽出されると、抽出された質問がステップ４にて表示部１１０に表示される。質問が表示部１１０に表示されるタイミングは、任意のタイミングとして予め設定することができる。【００５６】
表示部１１０に表示された質問について、入力部１０６を用いて利用者が選択する形で質問に対する回答をステップ５にて入力すると、ステップ６にて評価データが評価データ作成部１０５によって作成される。この評価データは、入力部１０６にて入力された回答と、評価対象スポットとが紐付けられたデータである。また、このとき端末１０１に設けられた時計にて認識された時刻や、センサ１０７にて認識された位置情報に関しても紐付けられて評価データが作成されても良い。なお、回答したい選択肢が存在しない場合、入力部１０６は、テキスト形式で文章の入力が可能であるものであっても良い。【００５７】
その後、評価データ作成部１０５によって作成された評価データが、ステップ７にて評価データベース１０２に格納される。このとき、評価データベース１０２がネットワークを介して端末１０１に接続されたサーバ等の装置に設けられているものである場合は、端末１０１から当該サーバへ評価データが送信され、サーバにて受信された評価データが評価データベース１０２に格納される。【００５８】
なお、評価データベース１０２に格納された評価データを端末１０１を用いて参照できることは言うまでもない。【００５９】
以上により、評価対象スポットに関する評価を選択式に入力するだけで評価データとして入力することができる。
（第２の実施の形態）
また、第１の実施の形態にて説明した評価データに、当該評価対象スポットや評価対象スポットで販売されている商品等の写真を付加するものも考えられる。【００６０】
図５は、本発明の評価データ収集システムの第２の実施の形態を示す図である。【００６１】
本形態は図５に示すように、図１に示した第１の実施の形態に、評価対象スポットや評価対象スポットで販売されている商品等の写真を撮影する撮影部１０４が設けられている。【００６２】
図５に示した第２の実施の形態における評価データ収集方法は、図１に示した第１の実施の形態における評価データ収集方法のうち、図２に示したフローチャートのステップ６にて、撮影部１０４にて撮影された評価スポットや評価対象スポットで販売されている商品等の写真が評価データ作成部１０５にて評価データに付加される部分のみが異なるものである。これにより、より臨場感のある評価データが作成されることとなる。
【図１】
2007145009.tif 000003
【図２】
2007145009.tif 000004
【図３】
2007145009.tif 000005
【図４】
2007145009.tif 000006
【図５】
2007145009.tif 000007
【国際調査報告】
2007145009.tif 000008
2007145009.tif 000009
2007145009.tif 000010
2007145009.tif 000011